(57)【要約】      （修正有）【課題】熱中症予防対策に活用するために、液晶温度計で温度表示するとともに、発色した温度表示部分の位置の真下に熱中症にかかりやすい温度の危険域を表示することで危険を知らせるとともに、そのシートを定形外郵便物として郵送可能なＢ３判までのサイズにすることでそのまま郵送できなおかつそのまま壁に貼り付けて啓発することを特徴とした液晶温度計付きシートを提供する。【解決手段】熱中症予防対策のためのポイントが上部に書かれているシートであり、表面に熱中症予防対策として目安となる温度の危険域が、柔軟性を有する液晶温度計に対応した発色部分に数字により表示され、シートを定形外郵便物で送付可能なサイズにすることで情報量を増やした液晶温度計がシートの下部に組み込まれていることを特徴とする。【選択図】図１
0003189952.tif 000002
【実用新案登録請求の範囲】
【請求項１】
熱中症予防対策のためのポイントが書かれているシートであり、表面に熱中症予防対策として目安となる温度の危険域が柔軟性を有する液晶温度計の対応した発色部分のカード上の位置に数字により表示され、シートの定形外郵便物で送付可能なサイズにすることで情報量を増やした液晶温度計が組み込まれていることを特徴とする液晶温度計付きシート。
【考案の詳細な説明】
【技術分野】
【０００１】
本考案は、熱中症予防対策に活用するために、液晶温度計で温度表示するとともに、発色した温度表示部分の位置の真下に熱中症にかかりやすい温度の危険域を表示することで危険を知らせるとともに、そのシートを定形外郵便物として郵送可能なＢ３判までのサイズにすることでそのまま郵送できなおかつそのまま壁に貼り付けて啓発することを特徴としたシートである。
【背景技術】
【０００２】
ここでいう液晶温度計とは、温度によって物質が固体←→液体←→気体（又は固相←→液相←→気相）に変わることを物質の３態と呼ばれている。ところが、液相は固相←→液相←→気相の３態の分類の他に固相と液相の間に、固体でもなく、液体でもない特異な状態を示す。この特異な状態を液層状態又は中間相と呼んでおり、液晶がこの中間相にあるときの状態は、物理的には液体と同様の流動性をもつ一方、光学的には固体結晶と同様の強い異方性をもっている。液晶が中間相をとるのは、ある温度条件下で棒状分子の結晶格子の秩序が失われて液状になるにも拘らず、分子の配向秩序は固体液晶と同様に維持されていることによる。この液晶状態と呼ぶ特異な状態が、一定の温度条件（融点の手前）のもとで現れる液晶をサーモトロピック（Ｔｈｅｒｍｏｔｒｏｐｉｃ＝熱親和型）液晶と呼び、この液晶はその分子配列の特徴によって、さらにスメクテック、ネマタック、コレステリックの各液晶に分けられ、温度センサーとして用いられるのはコレステリック液晶である。コレステリック液晶は、反射光の波長が可視光の時に赤、橙、黄、緑、青、藍、紫の７色の色彩を呈するが、実際には可視光の三原色、赤←→緑←→青が強く呈色される。液晶温度計として使用している液晶はこのコレステリックタイプの液晶である。
【先行技術文献】
【特許文献】
【０００３】
【特許文献１】実用新案登録第３１３３９６７号液晶温度計付きポスターこの実用新案は省エネルギー対策に関係したスローガンや図形等の表示が印刷されているポスターであって、このポスターの一部には表面側に柔軟性を有する液晶温度計が組み込まれていることを特徴とする。また、省エネルギー対策として必要な温度と暖房の目安となる上限と下限の温度が液晶温度計の対応したポスター上の位置に数字により表示されていることを特徴とする液晶温度計付きポスターである。「液晶温度計付きシート」は熱中症予防対策を目的としたシートであり温度計の目安としている表示は熱中症になる温度の危険域である。また、裏に切手を貼れば定形外郵便物としてそのまま郵送できることを特徴としたシートである。
【特許文献２】実用新案登録第３１７８０８７号（弊社の登録）熱中症予防対策のためのポイントが書かれているカードであり、表面に熱中症予防対策として目安となる温度の危険域が柔軟性を有する液晶温度計の対応した発色部分のカード上の位置に数字により表示され、前記カードは熱中症予防対策の周知と配布方法に特徴を持つカードでありカードの裏に宛名を書いて郵送料分の切手を貼りポストに投函すれば送付することができるカードである。本考案の「液晶温度計付きシート」は高齢者にわかりやすいようにサイズを定形外で郵送可能なＢ５サイズＢ３サイズにしており、なおかつそのまま壁などに貼り付けることを可能にしたシートである。
【非特許文献】
【０００４】
【非特許文献１】熱中症予防カードに液晶温度計を貼り付けたクレジットカードサイズのカードは弊社も販売しており、一般に市販されている。また、液晶温度計は貼り付けていないがハガキサイズの熱中症予防カードは環境省でも採用している。「液晶温度計付きシート」は熱中症予防対策として重要な温度を知ることを目的としたシートでありなおかつ利用者が郵送したいときは裏面に切手を貼ればそのまま郵送できる特徴のあるシートである。
【考案の概要】
【考案が解決しようとする課題】
【０００５】
熱中症予防対策の一つである「こまめに温度をチェック」し、なおかつ高齢者でもいつでも手軽に温度を見ることができるサイズにすること。しかし、郵送するならば封筒に入れて封緘し郵送料分の切手を貼ってポストに投函する必要があり、送付した後は封筒は廃棄するしかなかった。送付せずに配布するなら人の手を使って配るか取りに来てもらう必要があった。また、クレジットカードサイズなら小さいために使われない可能性もある。そのため、そのまま郵送できるとともに高齢者でも見やすい液晶温度計のサイズにする必要がある。
【課題を解決するための手段】
【０００６】
・熱中症予防対策に活用できるためにはシートの表面部分に柔軟性を有する液晶温度計を貼り付けて温度の発色部分の位置のシートの液晶温度計の真下部分に熱中症になる温度の危険域を表示している。
・カードサイズを定形外として郵送可能なサイズにすることで表面の液晶温度計を貼り付ける部分にも余裕ができ、従来のクレジットカードサイズの場合の液晶温度計のサイズ６ミリ×６２ミリから大幅に大きくすることができる。
・液晶温度計の対象温度を従来の２６度から４６度を２０度から４２度などにすることで熱中症にかかりにくい冬は暖房の目安として利用できる。
【考案の効果】
【０００７】
このシートは裏面に切手を貼ればそのまま郵送できる。そして、そのまま部屋に貼っておけばこまめに温度のチェックをすることができ、その温度が熱中症になりやすい危険域かを知ることができる。
【図面の簡単な説明】
【０００８】
【図１】本考案の一実施例を示す平面図の表面である。熱中症予防啓発のコメントや注意点を印刷している。表面の黒塗りの部分に液晶温度計を貼り付ける。液晶温度計の下部に温度の危険域を表示している。
【実施例】
【０００９】
液晶温度計付きシートを送付するときはそのまま裏に切手を貼って定形外郵便物として送付する。利用するときはセロテープか両面テープで部屋の壁に貼り付ける。温度設定を２０℃からにすることで熱中症にかかりにくい冬も暖房の目安として利用できるため一年中利用することができる。
【符号の説明】
【００１０】
■黒塗りの部分が液晶温度計の貼り付け部分。液晶温度計のサイズはシートの大きさを考慮して増減する。
【図１】
0003189952.tif 000003
【手続補正書】
【提出日】平成26年1月24日(2014.1.24)
【手続補正１】
【補正対象書類名】実用新案登録請求の範囲
【補正対象項目名】全文
【補正方法】変更
【補正の内容】
【実用新案登録請求の範囲】
【請求項１】
熱中症予防対策のためのポイントが上部に書かれているシートであり、表面に熱中症予防対策として目安となる温度の危険域が、柔軟性を有する液晶温度計に対応した発色部分に数字により表示され、シートを定形外郵便物で送付可能なサイズにすることで情報量を増やした液晶温度計がシートの下部に組み込まれていることを特徴とする液晶温度計付きシート。
【手続補正２】
【補正対象書類名】明細書
【補正対象項目名】０００９
【補正方法】変更
【補正の内容】
【０００９】
液晶温度計付きシートを送付するときはそのまま裏に切手を貼って定形外郵便物として送付する。利用するときはセロファンテープか両面テープで部屋の壁に貼り付ける。温度設定を２０℃からにすることで熱中症にかかりにくい冬も暖房の目安として利用できるため一年中利用することができる。